(57)【特許請求の範囲】
【請求項１】
前面視縦長な四角形の前後方向に貫通する中央空間を囲む額縁状の四方枠が上下の横部材と左右の縦部材とから構成され、上下の横部材と左右の縦部材の一方とが金属以外の素材からなり、左右の縦部材の他方が金属製であり、この金属製の縦部材が縦長な主要部と主要部の上部又は下部の一方又は両方から中央空間の側に直角に折り曲げられた取付部とを備え、この取付部には突起が設けられ、この突起に嵌め込まれる凹部が横部材に設けられた遊技機の外枠において、主要部には複数個の溝部が前後方向に隣接して設けられ、この主要部の前後方向に隣接した一方の溝部は中央空間の側に開口しかつ前側と外側と後側との三方の囲まれた上下方向に連続する溝状に形成され、上記主要部の前後方向に隣接した他方の溝部は外側に開口しかつ前側と中央空間の側と後側との三方の囲まれた上下方向に連続する溝状に形成されており、取付部には複数個の溝部が前後方向に隣接して設けられ、この取付部の前後方向に隣接した一方の溝部は中央空間の側に開口しかつ前側と外側と後側との三方の囲まれた左右方向に連続する溝状に形成され、上記取付部の前後方向に隣接した他方の溝部は外側に開口しかつ前側と中央空間の側と後側との三方の囲まれた左右方向に連続する溝状に形成されており、更に、上記主要部と取付部とを互いに連接する折れ曲がり部分は外側に向く弧状になっており、この折れ曲がり部分にも上記主要部の前後方向に隣接した一方の溝部と上記取付部の前後方向に隣接した一方の溝部とを互いに連続する溝部並びに上記主要部の前後方向に隣接した他方の溝部と上記取付部の前後方向に隣接した他方の溝部とを互いに連続する溝部が形成され、この折れ曲がり部分の前後方向に隣接した一方の溝部は中央空間の側に開口しかつ前側と外側と後側との三方の囲まれた左右方向に連続する溝状に形成され、上記折れ曲がり部分の前後方向に隣接した他方の溝部は外側に開口しかつ前側と中央空間の側と後側との三方の囲まれた左右方向に連続する溝状に形成されたことを特徴とする遊技機の外枠。
【請求項２】
前面視縦長な四角形の前後方向に貫通する中央空間を囲む額縁状の四方枠が上下の横部材と左右の縦部材とから構成され、上下の横部材が金属以外の素材からなり、左右の縦部材が金属製であり、これら金属製の縦部材の一方又は両方が縦長な主要部と主要部の上部又は下部の一方又は両方から中央空間の側に直角に折り曲げられた取付部とを備え、この取付部には突起が設けられ、この突起に嵌め込まれる凹部が横部材に設けられた遊技機の外枠において、主要部には複数個の溝部が前後方向に隣接して設けられ、この主要部の前後方向に隣接した一方の溝部は中央空間の側に開口しかつ前側と外側と後側との三方の囲まれた上下方向に連続する溝状に形成され、上記主要部の前後方向に隣接した他方の溝部は外側に開口しかつ前側と中央空間の側と後側との三方の囲まれた上下方向に連続する溝状に形成されており、取付部には複数個の溝部が前後方向に隣接して設けられ、この取付部の前後方向に隣接した一方の溝部は中央空間の側に開口しかつ前側と外側と後側との三方の囲まれた左右方向に連続する溝状に形成され、上記取付部の前後方向に隣接した他方の溝部は外側に開口しかつ前側と中央空間の側と後側との三方の囲まれた左右方向に連続する溝状に形成されており、更に、上記主要部と取付部とを互いに連接する折れ曲がり部分は外側に向く弧状になっており、この折れ曲がり部分にも上記主要部の前後方向に隣接した一方の溝部と上記取付部の前後方向に隣接した一方の溝部とを互いに連続する溝部並びに上記主要部の前後方向に隣接した他方の溝部と上記取付部の前後方向に隣接した他方の溝部とを互いに連続する溝部が形成され、この折れ曲がり部分の前後方向に隣接した一方の溝部は中央空間の側に開口しかつ前側と外側と後側との三方の囲まれた左右方向に連続する溝状に形成され、上記折れ曲がり部分の前後方向に隣接した他方の溝部は外側に開口しかつ前側と中央空間の側と後側との三方の囲まれた左右方向に連続する溝状に形成されたことを特徴とする遊技機の外枠。
【請求項３】
取付部に設けられた突起は外側に突出しかつ横部材と接触する面に設けられたことを特徴とする請求項１又は２記載の遊技機の外枠。
【発明の詳細な説明】
【技術分野】
【０００１】
本発明は、上横部材と下横部材とが金属以外の素材からなり、左縦部材及び右縦部材の一方又は両方が金属からなる遊技機の外枠に関する。
【背景技術】
【０００２】
特許文献１で開示されているように、上横部材と下横部材とが金属以外の素材からなり、左縦部材及び右縦部材の一方又は両方が金属からなる遊技機の外枠は公知である。しかしながら、特許文献１で開示された外枠は、左縦部材に設けられた上下の取付部と右縦部材が上下方向に設けられた上下の取付部とが上横部材と下横部材とを横方向から挿入可能な造形になった構造であので、上下の取付部と上横部材と下横部材との嵌め合いの構造が複雑であるという欠点がある。
【先行技術文献】
【特許文献】
【０００３】
【特許文献１】特開２００５−８７５７８号公報
【発明の概要】
【発明が解決しようとする課題】
【０００４】
本発明は、上記背景技術に鑑みてなされたものであり、上下の取付部と上横部材と下横部材との嵌め合いの構造が簡単になることを目的とする。
【課題を解決するための手段】
【０００５】
本発明は、金属製の縦部材における主要部には複数個の溝部が前後方向に隣接して設けられ、この主要部の前後方向に隣接した一方の溝部は中央空間の側に開口しかつ前側と外側と後側との三方の囲まれた上下方向に連続する溝状に形成され、上記主要部の前後方向に隣接した他方の溝部は外側に開口しかつ前側と中央空間の側と後側との三方の囲まれた上下方向に連続する溝状に形成されており、金属製の縦部材における取付部には複数個の溝部が前後方向に隣接して設けられ、この取付部の前後方向に隣接した一方の溝部は中央空間の側に開口しかつ前側と外側と後側との三方の囲まれた左右方向に連続する溝状に形成され、上記取付部の前後方向に隣接した他方の溝部は外側に開口しかつ前側と中央空間の側と後側との三方の囲まれた左右方向に連続する溝状に形成されており、更に、上記主要部と取付部とを互いに連接する折れ曲がり部分は外側に向く弧状になっており、この折れ曲がり部分にも上記主要部の前後方向に隣接した一方の溝部と上記取付部の前後方向に隣接した一方の溝部とを互いに連続する溝部並びに上記主要部の前後方向に隣接した他方の溝部と上記取付部の前後方向に隣接した他方の溝部とを互いに連続する溝部が形成され、この折れ曲がり部分の前後方向に隣接した一方の溝部は中央空間の側に開口しかつ前側と外側と後側との三方の囲まれた左右方向に連続する溝状に形成され、上記折れ曲がり部分の前後方向に隣接した他方の溝部は外側に開口しかつ前側と中央空間の側と後側との三方の囲まれた左右方向に連続する溝状に形成されたことを特徴とする。本発明にあっては、取付部に設けられた突起は外側に突出しかつ横部材と接触する面に設けられてもよい。
【発明の効果】
【０００６】
本発明は、突起と凹部とが上下方向で嵌め込まれることにより、上下の取付部と上横部材と下横部材との嵌め合いの構造が簡単になるという効果を奏する。
【図面の簡単な説明】
【０００７】
【図１】実施の形態に係る外枠を示す分解図。
【図２】Ａ図は図１のＡ−Ａ線端面図、Ｂ図は図１のＢ−Ｂ線端面図、Ｃ図は図１のＣ−Ｃ線端面図。
【図３】Ａ図は図１のＤ−Ｄ線端面図、Ｂ図は図１のＥ−Ｅ線端面図、Ｃ図は図１のＦ−Ｆ線端面図。
【図４】図８のＧ−Ｇ線端面図。
【図５】図８のＨ−Ｈ線端面図。
【図６】図８のＩ−Ｉ線端面図。
【図７】図８のＪ−Ｊ線端面図。
【図８】実施の形態に係る外枠を示す外観図。
【発明を実施するための形態】
【０００８】
本明細書における「前」、「後」、「左」、「右」、「上」、「下」の方向は、図８の状態に遊技機の外枠１を置いて矢印Ｓで示す前側から見た場合に特定される方向である。
【０００９】
図１を参照し、実施の形態に係る遊技機の外枠１について、上横部材２及び下横部材３が木製であり、左縦部材４及び右縦部材５が鉄板のような金属製であり、上ヒンジ６が上横部材２及び左縦部材４に取り付けられ、下ヒンジ７が左縦部材４及び前面板８に取り付けれ、前面板８が左縦部材４及び右縦部材５に取り付けられる構造を例示して説明する。外枠１は、図外の遊技店の遊技機設置構造体に取り付けられるものである。上横部材２及び下横部材３が木製になっているので、外枠１を遊技機設置構造体に設置する場合において、上横部材２及び下横部材３を釘で遊技機設置構造体に打ち付けて取り付けることができる。
【００１０】
上横部材２及び下横部材３は、木材により左右の横方向に長い帯板状に形成された構成である。以下の説明では、上横部材２の左端部１１を左上端部１１と称し、下横部材３の左端部１２を左下端部１２と称し、上横部材２の右端部１３を右上端部１３と称し、下横部材３の右端部１４を右下端部１４と称する。左上端部１１と左下端部１２と右上端部１３と右下端部１４とのそれぞれには、取付孔１６；１７；１８；１９が単数でもよいが複数個ずつ設けられている。以下の説明では、取付孔１６を左上取付孔１６と称し、取付孔１７を左下取付孔１７と称し、取付孔１８を右上取付孔１８と称し、取付孔１９を右下取付孔１９と称する。
【００１１】
左縦部材４及び右縦部材５が縦長な主要部２１；２２と上下の取付部２３；２４；２５；２６とを備える。以下の説明では、主要部２１を左主要部２１と称し、主要部２２を右主要部２２と称し、取付部２３を左上取付部２３と称し、取付部２４を左下取付部２４と称し、取付部２５を右上取付部２５と称し、取付部２６を右下取付部２６と称する。中央空間２７は、上横部材２と下横部材３と左縦部材４と右縦部材５とにより囲まれた前面視縦長な四角形の前後方向に貫通する空間である。
【００１２】
左上取付部２３は、左主要部２１の上部から中央空間２７の側に直角となるように折り曲げられた構成である。左下取付部２４は、左主要部２１の下部から中央空間２７の側に直角となるように折り曲げられた構成である。右上取付部２５は、右主要部２２の上部から中央空間２７の側に直角となるように折り曲げられた構成である。右下取付部２６は、右主要部２２の下部から中央空間２７の側に直角となるように折り曲げられた構成である。
【００１３】
左主要部２１と左上取付部２３とが互いに連接される折り曲がり部分３１は、左斜め上方に突出する弧状の曲がり部分を構成する。左主要部２１と左下取付部２４とが互いに連接される折り曲がり部分３２は、左斜め下方に突出する弧状の曲がり部分を構成する。右主要部２２と右上取付部２５とが互いに連接される折り曲がり部分３３は、右斜め上方に突出する弧状の曲がり部分を構成する。右主要部２２と右下取付部２６とが互いに連接される折り曲がり部分３４は、右斜め下方に突出する弧状の曲がり部分を構成する。以下の説明において、折り曲がり部分３１を左上折り曲がり部分３１と称し、折り曲がり部分３２を左下折り曲がり部分３２と称し、折り曲がり部分３３を右上折り曲がり部分３３と称し、折り曲がり部分３４を右下折り曲がり部分３４と称する。
【００１４】
左上取付部２３の上横部材２と接触する上面には、突起３６が上方に突出するように左上取付孔１６と同数設けられる。左下取付部２４の下横部材３と接触する下面には、突起３７が下方に突出するように左下取付孔１７と同数設けられる。右上取付部２５の上横部材２と接触する上面には、突起３８が上方に突出するように右上取付孔１８と同数設けられる。右下取付部２６の下横部材３と接触する下面には、突起３９が下方に突出するように右下取付孔１９と同数設けられる。突起３６乃至３９は、バーリング加工で形成してもよく、左上取付部２３と左下取付部２４と右上取付部２５並びに右下取付部２６のそれぞれと別に設けられた突起物を上取付部２３と左下取付部２４と右上取付部２５並びに右下取付部２６のそれぞれに接合することにより形成してもよい。突起物としては、ナットを使用してもよい。以下の説明において、突起３６を左上突起３６と称し、突起３７を左下突起３７と称し、突起３８を右上突起３８と称し、突起３９を右下突起３９と称する。
【００１５】
上横部材２と左縦部材４とが互いに組み立てられる場合には、左上取付孔１６と左上突起３６とが互いに上下方向で嵌め込まれることにより、左上端部１１と左上取付部２３との嵌め合いの構造が簡単になる。又、下横部材３と左縦部材４とが互いに組み立てられる場合には、左下取付孔１７と左下突起３７とが互いに上下方向で嵌め込まれることにより、左下端部１２と左下取付部２４との嵌め合いの構造が簡単になる。又、上横部材２と右縦部材５とが互いに組み立てられる場合には、右上取付孔１８と右上突起３８とが互いに上下方向で嵌め込まれることにより、右上端部１３と右上取付部２５との嵌め合いの構造が簡単になる。更に、下横部材３と右縦部材５とが互いに組み立てられる場合には、右下取付孔１９と右下突起３９とが互いに上下方向で嵌め込まれることにより、右下端部１４と右下取付部２６との嵌め合いの構造が簡単になる。
【００１６】
上横部材２と下横部材３と左縦部材４と右縦部材５とが互いに組み立てられる場合には、左上取付孔１６と左上突起３６とが互いに上下方向で嵌め込まれ、左下取付孔１７と左下突起３７とが互いに上下方向で嵌め込まれ、右上取付孔１８と右上突起３８とが互いに上下方向で嵌め込まれ、右下取付孔１９と右下突起３９とが互いに上下方向で嵌め込まれるだけの構成つまり左上取付孔１６と左下取付孔１７と右上取付孔１８と右下取付孔１９とが上下方向に貫通しない凹部になっていてもよいが、実施の形態では、左上取付孔１６と左下取付孔１７と右上取付孔１８と右下取付孔１９と左上突起３６と左下突起３７と右上突起３８と右下突起３９とを利用して止螺子４１；４２；４３；４４で上横部材２と下横部材３と左縦部材４と右縦部材５とを互いに固定する構造ついて説明する。
【００１７】
その構造は、左上取付孔１６と右上取付孔１８と左下取付孔１７と右下取付孔１９が上下方向に貫通する貫通孔に形成され、左上突起３６と左下突起３７と右上突起３８と右下突起３９とが上下方向に貫通する筒状に形成され、左上端部１１と左上取付部２３とを互いに固定する止螺子４１が左上取付孔１６と左上突起３６の内部とを貫通する構成であり、左下端部１２と左下取付部２４とを互いに固定する止螺子４２が左下取付孔１７と左下突起３７の内部とを貫通する構成であり、右上端部１３と右上取付部２５とを互いに固定する止螺子４３が右上取付孔１８と右上突起３８の内部とを貫通する構成であり、右下端部１４と右下取付部２６とを互いに固定する止螺子４４が右下取付孔１９と右下突起３９の内部とを貫通する構成である。以下の説明では、止螺子４１を左上止螺子４１と称し、止螺子４２を左下止螺子４２と称し、止螺子４３を右上止螺子４３と称し、止螺子４４を右下止螺子４４と称する。
【００１８】
又、左縦部材４と右縦部材５とが板厚の厚い鉄板から構成されてもよいが、軽量化を図るために、板厚の薄い鉄板を用いても剛性が高められる構造について説明する。先ず、左縦部材４に着目すると、左主要部２１には、前後方向に連続する凹凸状の溝部として、前溝部４６と中間溝部４７と後溝部４８とが設けられる。以下の説明では、前溝部４６を左主前溝部４６と称し、中間溝部４７を左主中間溝部４７と称し、後溝部４８を左主後溝部４８と称する。
【００１９】
左上取付部２３には、前後方向に連続する凹凸状の溝部として、前溝部５０と中間溝部５１と後溝部５２とが設けられる。以下の説明では、前溝部５０を左上前溝部５０と称し、中間溝部５１を左上中間溝部５１と称し、後溝部５２とを左上後溝部５２と称する。実施の形態では、段落００１４で説明した左上突起３６が左上前溝部５０の上横部材２と接触する上面と左上後溝部５２の上横部材２と接触する上面とに設けられているので、複数個の左上突起３６における個々間の間隔が広くなり、左上止螺子４１が左上端部１１と左上取付部２３とを強固に固定できる。
【００２０】
左下取付部２４には、前後方向に連続する凹凸状の溝部として、前溝部５４と中間溝部５５と後溝部５６とが設けられる。以下の説明では、前溝部５４を左下前溝部５４と称し、中間溝部５５を左下中間溝部５５と称し、後溝部５６を左下後溝部５６と称する。実施の形態では、段落００１４で説明した左下突起３７が左下前溝部５４の下横部材３と接触する下面と左下後溝部５６下横部材３と接触する下面とに設けられているので、複数個の左下突起３７における個々間の間隔が広くなり、左下止螺子４２が左下端部１２と左下取付部２４とを強固に固定できる。
【００２１】
又、左主前溝部４６と左上前溝部５０と左下前溝部５４とが左主要部２１と左上取付部２３と左下取付部２４との繋がる方向に互いに連続した形状となっていると共に左上折り曲がり部分３１と左下折り曲がり部分３２とにも存在する構成になっている。左主中間溝部４７と左上中間溝部５１と左下中間溝部５５とが左主要部２１と左上取付部２３と左下取付部２４との繋がる方向に互いに連続した形状となっていると共に左上折り曲がり部分３１と左下折り曲がり部分３２とにも存在する構成になっている。左主後溝部４８と左上後溝部５２と左下後溝部５６とが左主要部２１と左上取付部２３と左下取付部２４との繋がる方向に互いに連続した形状となっていると共に左上折り曲がり部分３１と左下折り曲がり部分３２とにも存在する構成になっている。これにより、左主要部２１と左上取付部２３と左下取付部２４との折り曲げられた直角の角度を確保するための強度が強くなるという利点がある。
【００２２】
次に、右縦部材５に着目すると、右主要部２２には、前後方向に連続する凹凸状の溝部として、前溝部５８と中間溝部５９と後溝部６０とが設けられる。以下の説明では、前溝部５８を右主前溝部５８と称し、中間溝部５９を右主中間溝部５９と称し、後溝部６０を右主後溝部６０と称する。
【００２３】
右上取付部２５には、前後方向に連続する凹凸状の溝部として、前溝部６２と中間溝部６３と後溝部６４とが設けられる。以下の説明では、前溝部６２を右上前溝部６２と称し、中間溝部６３を右上中間溝部６３と称し、後溝部６４とを右上後溝部６４と称する。実施の形態では、段落００１４で説明した右上突起３８が右上前溝部６２の上横部材２と接触する上面と右上後溝部６４の上横部材２と接触する上面とに設けられているので、複数個の右上突起３８における個々間の間隔が広くなり、右上止螺子４３が右上端部１３と右上取付部２５とを強固に固定できる。
【００２４】
右下取付部２６には、前後方向に連続する凹凸状の溝部として、前溝部６６と中間溝部６７と後溝部６８とが設けられる。以下の説明では、前溝部６６を右下前溝部６６と称し、中間溝部６７を右下中間溝部６７と称し、後溝部６８を右下後溝部６８と称する。実施の形態では、段落００１４で説明した右下突起３９が右下前溝部６６の下横部材３と接触する下面と右下後溝部６８の下横部材３と接触する下面とに設けられているので、複数個の右下突起３９における個々間の間隔が広くなり、右下止螺子４４が右下端部１４と右下取付部２６とを強固に固定できる。
【００２５】
又、右主前溝部５８と右上前溝部６２と右下前溝部６６とが右主要部２２と右上取付部２５と右下取付部２６との繋がる方向に互いに連続した形状となっていると共に右上折り曲がり部分３３と右下折り曲がり部分３４とにも存在する構成になっている。右主中間溝部５９と右上中間溝部６３と右下中間溝部６７とが右主要部２２と右上取付部２５と右下取付部２６との繋がる方向に互いに連続した形状となっていると共に右上折り曲がり部分３３と右下折り曲がり部分３４とにも存在する構成になっている。右主後溝部６０と右上後溝部６４と右下後溝部６８とが右主要部２２と右上取付部２５と右下取付部２６との繋がる方向に互いに連続した形状となっていると共に右上折り曲がり部分３３と右下折り曲がり部分３４とにも存在する構成になっている。これにより、右主要部２２と右上取付部２５と右下取付部２６との折り曲げられた直角の角度を確保するための強度が強くなるという利点がある。
【００２６】
尚、図１では、左上突起３６が左上取付部２３に４個設けられた構成を例示したが、左上突起３６が左上前溝部５０と左上後溝部５２とに１個ずつの合計で２個設けられる場合、例えば１個の左上突起３６が左上前溝部５０の左側に設けられ、もう１個の左上突起３６が左上後溝部５２の右側に設けられるというように、左上前溝部５０に設けられる１個の左上突起３６と左上後溝部５２に設けられる１個の左上突起３６とが左右方向で互い違いに配置されていれば、左上突起３６の設けられる個数が少なくても、左上突起３６と左上取付孔１６とが互いに嵌め合わされることで上横部材２と左縦部材４とを水平方向にぐらつくことのないように上横部材２と左縦部材４との位置合わせを適切に行うことができる。
【００２７】
又、左下突起３７が左下取付部２４に４個設けられた構成を例示したが、左下突起３７が左下前溝部５４と左下後溝部５６とに１個ずつの合計で２個設けられる場合、例えば１個の左下突起３７が左下前溝部５４の左側に設けられ、もう１個の左下突起３７が左下後溝部５６の右側に設けられるというように、左下前溝部５４に設けられる１個の左下突起３７と左下後溝部５６に設けられる１個の左下突起３７とが左右方向で互い違いに配置されていれば、左下突起３７の設けられる個数が少なくても、左下突起３７と左下取付孔１７とが互いに嵌め合わされることで下横部材３と左縦部材４とを水平方向にぐらつくことのないように下横部材３と左縦部材４との位置合わせを適切に行うことができる。
【００２８】
又、右上突起３８が右上取付部２５に４個設けられた構成を例示したが、右上突起３８が右上前溝部６２と右上後溝部６４とに１個ずつの合計で２個設けられる場合、例えば１個の右上突起３８が右上前溝部６２の左側に設けられ、もう１個の右上突起３８が右上後溝部６４の右側に設けられるというように、右上前溝部６２に設けられる１個の右上突起３８と右上後溝部６４に設けられる１個の右上突起３８とが左右方向で互い違いに配置されていれば、右上突起３８の設けられる個数が少なくても、右上突起３８と右上取付孔１８とが互いに嵌め合わされることで上横部材２と右縦部材５とを水平方向にぐらつくことのないように上横部材２と右縦部材５との位置合わせを適切に行うことができる。
【００２９】
又、右下突起３９が右下取付部２６に４個設けられた構成を例示したが、右下突起３９が右下前溝部６６と右下後溝部６８とに１個ずつの合計で２個設けられる場合、例えば１個の右下突起３９が右下前溝部６６の左側に設けられ、もう１個の右下突起３９が右下後溝部６８の右側に設けられるというように、右下前溝部６６に設けられる１個の右下突起３９と右下後溝部６８に設けられる１個の右下突起３９とが左右方向で互い違いに配置されていれば、右下突起３９の設けられる個数が少なくても、右下突起３９と右下取付孔１９とが互いに嵌め合わされることで下横部材３と右縦部材５とを水平方向にぐらつくことのないように下横部材３と右縦部材５との位置合わせを適切に行うことができる。
【００３０】
図２を参照し、左縦部材４に着目し、左主前溝部４６、左主中間溝部４７、左主後溝部４８、左上前溝部５０、左上中間溝部５１、左上後溝部５２、左下前溝部５４、左下中間溝部５５、左下後溝部５６の構造について説明する。
【００３１】
図２のＢ図において、左主前溝部４６は、中央空間２７の側に開口しかつ前側と外側と後側との三方の囲まれた上下方向に連続する溝状に形成される。左主中間溝部４７は、外側に開口しかつ前側と中央空間２７の側と後側との三方の囲まれた溝状に形成される。左主後溝部４８は、中央空間２７の側に開口しかつ前側と外側と後側との三方の囲まれた溝状に形成される。又、左主前溝部４６と左主中間溝部４７との境が単一の壁で仕切られており、左主中間溝部４７と左主後溝部４８との境が単一の壁で仕切られている。これにより、左主前溝部４６と左主中間溝部４７と左主後溝部４８とが前後方向に連続する凹凸状の溝部を構成する。
【００３２】
図２のＡ図において、左上前溝部５０は、中央空間２７の側に開口しかつ前側と上側と後側との三方の囲まれた左右方向に連続する溝状に形成される。左上中間溝部５１は、上側に開口しかつ前側と中央空間２７の側と後側との三方の囲まれた溝状に形成される。左上後溝部５２は、中央空間２７の側に開口しかつ前側と上側と後側との三方の囲まれた溝状に形成される。又、左上前溝部５０と左上中間溝部５１との境が単一の壁で仕切られており、左上中間溝部５１と左上後溝部５２との境が単一の壁で仕切られている。これにより、左上前溝部５０と左上中間溝部５１と左上後溝部５２とが前後方向に連続する凹凸状の溝部を構成する。
【００３３】
図２のＣ図において、左下前溝部５４は、中央空間２７の側に開口しかつ前側と上側と後側との三方の囲まれた左右方向に連続する溝状に形成される。左下中間溝部５４は、下側に開口しかつ前側と中央空間２７の側と後側との三方の囲まれた溝状に形成される。左下後溝部５６は、中央空間２７の側に開口しかつ前側と上側と後側との三方の囲まれた溝状に形成される。又、左下前溝部５４と左下中間溝部５５との境が単一の壁で仕切られており、左下中間溝部５５と左下後溝部５６との境が単一の壁で仕切られている。これにより、左下前溝部５４と左下中間溝部５５と左下後溝部５６とが前後方向に連続する凹凸状の溝部を構成する。
【００３４】
図２に示すように、実施の形態では、左縦部材４における前後方向に連続する凹凸状の溝部として前・中間・後の溝部を例示したが、当該溝部の個数は３つに限定されるものではなく、４つ以上であってもよいが、４つ以上の場合でも、左上突起３６と左下突起３７とを最前と最後とに位置する溝部に対して設ければ、左縦部材４と図１の上横部材２と下横部材３とを左上止螺子４１と左下止螺子４２とで強固に固定できる。
【００３５】
図３を参照し、右縦部材５に着目し、右主前溝部５８、右主中間溝部５９、右主後溝部６０、右上前溝部６２、右上中間溝部６３、右上後溝部６４、右下前溝部６６、右下中間溝部６７、右下後溝部６８の構造について説明する。
【００３６】
図３のＢ図において、右主前溝部５８は、中央空間２７の側に開口しかつ前側と外側と後側との三方の囲まれた上下方向に連続する溝状に形成される。右主中間溝部５９は、外側に開口しかつ前側と中央空間２７の側と後側との三方の囲まれた溝状に形成される。右主後溝部６０は、中央空間２７の側に開口しかつ前側と外側と後側との三方の囲まれた溝状に形成される。又、右主前溝部５８と右主中間溝部５９との境が単一の壁で仕切られており、右主中間溝部５９と右主後溝部６０との境が単一の壁で仕切られている。これにより、右主前溝部５８と右主中間溝部５９と右主後溝部６０とが前後方向に連続する凹凸状の溝部を構成する。
【００３７】
図３のＡ図において、右上前溝部６２は、中央空間２７の側に開口しかつ前側と上側と後側との三方の囲まれた左右方向に連続する溝状に形成される。右上中間溝部６３は、上側に開口しかつ前側と中央空間２７の側と後側との三方の囲まれた溝状に形成される。右上後溝部６４は、中央空間２７の側に開口しかつ前側と上側と後側との三方の囲まれた溝状に形成される。又、右上前溝部６２と右上中間溝部６３との境が単一の壁で仕切られており、右上中間溝部６３と右上後溝部６４との境が単一の壁で仕切られている。これにより、右上前溝部６２と右上中間溝部６３と右上後溝部６４とが前後方向に連続する凹凸状の溝部を構成する。
【００３８】
図３のＣ図において、右下前溝部６６は、中央空間２７の側に開口しかつ前側と上側と後側との三方の囲まれた左右方向に連続する溝状に形成される。右下中間溝部６７は、下側に開口しかつ前側と中央空間２７の側と後側との三方の囲まれた溝状に形成される。右下後溝部６８は、中央空間２７の側に開口しかつ前側と下側と後側との三方の囲まれた溝状に形成される。又、右下前溝部６６と右下中間溝部６７との境が単一の壁で仕切られており、右下中間溝部６７と右下後溝部６８との境が単一の壁で仕切られている。これにより、右下前溝部６６と右下中間溝部６７と右下後溝部６８とが前後方向に連続する凹凸状の溝部を構成する。
【００３９】
図３に示すように、実施の形態では、右縦部材５における前後方向に連続する凹凸状の溝部として前・中間・後の溝部を例示したが、当該溝部の個数は３つに限定されるものではなく、４つ以上であってもよいが、４つ以上の場合でも、右上突起３８と右下突起３９とを最前と最後とに位置する溝部に対して設ければ、右縦部材５と図１の上横部材２と下横部材３とを右上止螺子４３と右下止螺子４４とで強固に固定できる。
【００４０】
図１に戻り、この実施の形態では、皿頭付きボルトからなる左上止螺子４１で上ヒンジ６と左上端部１１と左上取付部２３とを互いに固定する構成を例示したので、先ず、その構造について説明する。上ヒンジ６は、鉄板からなる取付板７１と金属製のヒンジピン７２とを備える。取付板７１は、水平な板状である。取付板７１の前部には、ヒンジピン７２が下方に突出するように固定される。取付板７１の前縁部には、隔壁７３がヒンジピン７２の前側を囲むように設けられる。取付板７１の後部には、取付孔７４が上下方向に貫通する皿穴を構成するように左上取付孔１６と同数設けられる。取付板７１の後部の下面には、筒状の突起７５が取付孔７４を個別に囲むように設けられる。突起７５の内部には、左上止螺子４１の雄螺子部を直線的に挿入する貫通孔が設けられる。左上端部１１には、上ヒンジ６の取付板７１を沈み込ませる除去部７６が設けられる。
【００４１】
次に、上ヒンジ６と上横部材２と左縦部材４とが左上止螺子４１で組み立てられる場合について説明する。上ヒンジ６の突起７５が左上取付孔１６に上方から挿入され、取付板７１が除去部７６の上に接触するように置かれ、左上突起３６が左上取付孔１６に下方から挿入された状態において、左上止螺子４１の雄螺子部が上ヒンジ６の上方から取付孔７４、突起７５の内部、左上取付孔１６、左上突起３６の内部に挿入される。その挿入時において、左上止螺子４１の雄螺子部が左上突起３６の内部に形成された雌螺子部に装着される。そして、図４に示すように、左上止螺子４１の頭部が取付孔７４の内部に収容されて着地することにより、左上止螺子４１の雄螺子部と頭部とが取付板７１と左上端部１１と左上取付部２３とを上下方向から締め付ける。
【００４２】
これにより、図４に示すように、上ヒンジ６と上横部材２と左縦部材４とが左上止螺子４１で互いに固定された態様に組み立てられる。実施の形態では、左上突起３６の内部に雌螺子部を形成した構成を例示したが、左上突起３６の内部に雌螺子部を形成しないで、左上止螺子４１にナットを装着し、当該左上止螺子４１とナットとで上ヒンジ６と上横部材２と左縦部材４とを固定してもよい。その場合、左上止螺子４１の雄螺子部の先端及びナットが左上前溝部５０の内部に収容されるように、左上前溝部５０の前後方向の横幅及び上下方向の深さを構成すれば、左上止螺子４１及びナットが左上取付部２３より中央空間２７の側に飛び出ないので好適である。また、上ヒンジ６の突起７５が左上取付孔１６に挿入されているので、上ヒンジ６の位置が確保でき、取付板７１の左縁部から下方に延びる位置合わせ機能を有する壁を取付板７１に設ける必要が無く、当該壁を取付板７１に設けなければ、上ヒンジ６を軽量化できる。
【００４３】
図５を参照し、丸頭付きタッピングスクリューからなる右上止螺子４３の頭部が右上端部１３よりも上方に突出しないようにした構造について説明すると、右上端部１３には、右上止螺子４３の頭部を収容する収容部７７が右上端部１３の上面から内部に窪むように設けられる。収容部７７の底部には、右上取付孔１８が貫通している。次に、右上端部１３と右上取付部２５とが右上止螺子４３で組み立てられる場合について説明すると、右上突起３８が右上取付孔１８に下方から嵌め込まれた状態において、丸頭右上止螺子４３の雄螺子部が右上端部１３の上方から右上取付孔１８及び右上突起３８の内部に挿入される。その挿入時において、右上止螺子４３の雄螺子部が右上突起３８の内部に雌螺子部を形成しながら装着され、右上止螺子４３の頭部が収容部７７に収容されて着地することにより、右上止螺子４３の雄螺子部と頭部とが右上端部１３と右上取付部２５とを上下方向から締め付ける。
【００４４】
これにより、図５に示すように、上横部材２と右縦部材５とが右上止螺子４３で互いに固定された態様に組み立てられる。実施の形態では、右上止螺子４３としてのタッピングスクリューで右上突起３８の内部に雌螺子部を形成した構成を例示したが、右上止螺子４３の挿入と無関係に右上突起３８の内部に雌螺子部を予め形成しておき、右上止螺子４３としてボルトを採用し、この右上止螺子４３の雄螺子部を右上突起３８の内部に予め設けられた雌螺子部に装着するようしてもよく、又は、右上突起３８の内部に雌螺子部を予め形成しておかないで、ボルトからなる右上止螺子４３にナットを装着し、当該右上止螺子４３とナットとで上横部材２と右縦部材５とを固定してもよい。その場合、右上止螺子４３の雄螺子部の先端及びナットが右上前溝部６２と右上後溝部６４との内部に収容されるように、右上前溝部６２と右上後溝部６４との前後方向の横幅及び上下方向の深さを構成すれば、右上止螺子４３及びナットが右上取付部２５より中央空間２７の側に飛び出ないので好適である。上記ボルトは、タッピング機能を備えていない止螺子を言う。
【００４５】
図６を参照し、丸頭付きタッピングスクリューからなる左下止螺子４２の頭部が左下端部１２よりも下方に突出しないようにした構造について説明すると、左下端部１２には、左下止螺子４２の頭部を収容する収容部７８が左下端部１２の下面から内部に窪むように設けられる。収容部７８の底部には、左下取付孔１７が貫通している。次に、左下端部１２と左下取付部２４とが左下止螺子４２で組み立てられる場合について説明すると、左下突起３７が左下取付孔１７に上方から嵌め込まれた状態において、左下止螺子４２の雄螺子部が左下端部１２の下方から左下取付孔１７及び左下突起３７の内部に挿入される。その挿入時において、左下止螺子４２の雄螺子部が左下突起３７の内部に雌螺子部を形成しながら装着され、左下止螺子４２の頭部が収容部７８に収容されて着地することにより、左下止螺子４２の雄螺子部と頭部とが左下端部１２と左下取付部２４とを上下方向から締め付ける。
【００４６】
これにより、図６に示すように、下横部材３と左縦部材４とが左下止螺子４２で互いに固定された態様に組み立てられる。実施の形態では、左下止螺子４２としてのタッピングスクリューで左下突起３７の内部に雌螺子部を形成した構成を例示したが、左下止螺子４２の挿入と無関係に左下突起３７の内部に雌螺子部を予め形成しておき、左下止螺子４２としてボルトを採用し、この左下止螺子４２の雄螺子部を左下突起３７の内部に予め設けられた雌螺子部に装着するようしてもよく、又は、左下突起３７の内部に雌螺子部を予め形成しておかないで、ボルトからなる左下止螺子４２にナットを装着し、当該左下止螺子４２とナットとで下横部材３と左縦部材４とを固定してもよい。その場合、左下止螺子４２の雄螺子部の先端及びナットが左下前溝部５４と左下後溝部５６との内部に収容されるように、左下前溝部５４と左下後溝部５６との前後方向の横幅及び上下方向の深さを構成すれば、左下止螺子４２及びナットが左下取付部２４より中央空間２７の側に飛び出ないので好適である。
【００４７】
図７を参照し、丸頭付きタッピングスクリューからなる右下止螺子４４の頭部が右下端部１４よりも下方に突出しないようにした構造について説明すると、右下端部１４には、右下止螺子４４の頭部を収容する収容部７９が右下端部１４の下面から内部に窪むように設けられる。収容部７９の底部には、右下取付孔１９が貫通している。次に、右下端部１４と右下取付部２６とが右下止螺子４４で組み立てられる場合について説明すると、右下突起３９が右下取付孔１９に上方から嵌め込まれた状態において、右下止螺子４４の雄螺子部が右下端部１４の下方から右下取付孔１９及び右下突起３９の内部に挿入される。その挿入時において、右下止螺子４４の雄螺子部が右下突起３９の内部に雌螺子部を形成しながら装着され、右下止螺子４４の頭部が収容部７９に収容されて着地することにより、右下止螺子４４の雄螺子部と頭部とが右下端部１４と右下取付部２６とを上下方向から締め付ける。
【００４８】
これにより、図７に示すように、下横部材３と右縦部材５とが右下止螺子４４で互いに固定された態様に組み立てられる。実施の形態では、右下止螺子４４としてのタッピングスクリューで右下突起３９の内部に雌螺子部を形成した構成を例示したが、右下止螺子４４の挿入と無関係に右下突起３９の内部に雌螺子部を予め形成しておき、右下止螺子４４としてボルトを採用し、この右下止螺子４４の雄螺子部を右下突起３９の内部に予め設けられた雌螺子部に装着するようしてもよく、又は、右下突起３９の内部に雌螺子部を予め形成しておかないで、ボルトからなる右下止螺子４４にナットを装着し、当該右下止螺子４４とナットとで下横部材３と右縦部材５とを固定してもよい。その場合、右下止螺子４４の雄螺子部の先端及びナットが右下前溝部６６と右下後溝部６８との内部に収容されるように、右下前溝部６６と右下後溝部６８との前後方向の横幅及び上下方向の深さを構成すれば、右下止螺子４４及びナットが右下取付部２６より中央空間２７の側に飛び出ないので好適である。
【００４９】
図１に戻り、下ヒンジ７及び前面板８が左縦部材４に取り付けられる部分の構造について説明する。左主要部２１の前下部及び左下取付部２４の前部のそれぞれには、前後方向に貫通する取付孔８１が設けられる。下ヒンジ７は、取付板８２とヒンジピン８３とを備える。取付板８２は、横片部と横片部の後部から下方に曲げられた縦片部とを備える。取付板８２の横片部には、上下方向に貫通する取付孔８４と上方に突出するヒンジピン８３とが設けられる。取付板８２の縦片部には、前後方向に貫通する取付孔８５が左縦部材４の取付孔８１と同数設けられる。前面板８の左上端部には、取付板８２の横片部を沈み込ませる除去部８６が設けられる。
【００５０】
そして、前面板８が左縦部材４の前方から左主要部２１の前下部及び左下取付部２４の前部のそれぞれの前面に重ね合わされ、取付板８２の縦片部が左縦部材４の後方から左主要部２１の前下部及び左下取付部２４の前部のそれぞれの後面に重ね合わされ、取付板８２の横片部が除去部８６の上に重ね合わされた状態において、頭付きタッピングスクリューからなる止螺子８７が下ヒンジ７の後方から取付孔８１；８５を経由して前面板８に装着され、又、頭付きタッピングスクリューからなる止螺子８８が下ヒンジ７の上方から取付孔８４を経由して前面板８に装着されることにより、下ヒンジ７と左縦部材４と前面板８とが止螺子８７で前後方向から締め付けるような態様となる。
【００５１】
又、図１において、前面板８が右縦部材５に取り付けられる分部の構造について説明する。右の右主要部２２の前下部及び右下取付部２６の前部のそれぞれには、前後方向に貫通する取付孔８９が設けられる。そして、前面板８が右縦部材５の前方から右主要部２２の前下部及び右下取付部２６の前部のそれぞれの前面に重ね合わされた状態において、頭付きタッピングスクリューからなる止螺子９０が右縦部材５の後方から取付孔８９を貫通して前面板８に装着されることにより、右縦部材５と前面板８とが止螺子９０で前後方向から締め付けるような態様となる。
【００５２】
尚、図１において、前面板８の上端部には、金属製の誘導部材９１が設けられる。誘導部材９１は、外枠１に上ヒンジ６と下ヒンジ７とを回転中心として開閉可能に取り付けられた図外の前枠が閉じられる際に適正な上下方向の位置となるように誘導するものである。
【００５３】
以上により、上横部材２と下横部材３と左縦部材４と右縦部材５と上ヒンジ６と下ヒンジ７と前面板８と誘導部材９１とを備えた外枠１が図８に示すような形状に構成される。
【００５４】
図８を参照し、実施の形態に係る遊技機の外枠１について考察すると、外枠１は木製の上横部材２と木製の下横部材３と金属製の左縦部材４と金属製の右縦部材５とが互いに組み合わせられて前面視縦長な四角形の前後方向に貫通する中央空間２７を囲む額縁状の四方枠を形成し、左縦部材４が左主要部２１と左上取付部２３と左下取付部２４と備え、右縦部材５が右主要部２２と右上取付部２５と右下取付部２６とを備えた公知の構造を前提とし、次のような特徴を有するものである。
【００５５】
左縦部材４が、前後方向に連続する凹凸状の溝部として、左主前溝部４６と左主中間溝部４７と左主後溝部４８と左上前溝部５０と左上中間溝部５１と左上後溝部５２と左下前溝部５４と左下中間溝部５５と左下後溝部５６とを有することにより、左縦部材４の板厚を厚くしなくても剛性が向上するという特徴がある。
【００５６】
右縦部材５が、前後方向に連続する凹凸状の溝部として、右主前溝部５８と右主中間溝部５９と右主後溝部６０と右上前溝部６２と右上中間溝部６３と右上後溝部６４と右下前溝部６６と右下中間溝部６７と右下後溝部６８とを有することにより、右縦部材５の板厚を厚くしなくても剛性が向上するという特徴がある。
【００５７】
左上取付部２３の上横部材２と接触する上面には左上取付孔１６に嵌め合わされる左上突起３６が上方に突出する筒状に設けられ、左上止螺子４１が左上取付孔１６と左上突起３６の内部とに挿入されて上横部材２と左縦部材４とを固定することにより、上横部材２と左縦部材４との組み立てる位置が確保されるうえ、組み立てられた上横部材２と左縦部材４との位置ずれを防止できるという特徴がある。
【００５８】
左下取付部２４の下横部材３と接触する下面には左下取付孔１７に嵌め合わされる左下突起３７が下方に突出する筒状に設けられ、左下止螺子４２が左下取付孔１７と左下突起３７の内部とに挿入されて下横部材３と左縦部材４とを固定することにより、下横部材３と左縦部材４との組み立てる位置が確保されるうえ、組み立てられた下横部材３と左縦部材４との位置ずれを防止できるという特徴がある。
【００５９】
右上取付部２５の上横部材２と接触する上面には右上取付孔１８に嵌め合わされる右上突起３８が上方に突出する筒状に設けられ、右上止螺子４３が右上取付孔１８と右上突起３８の内部とに挿入されて上横部材２と右縦部材５とを固定することにより、上横部材２と左縦部材４との組み立てる位置が確保されるうえ、組み立てられた上横部材２と左縦部材４との位置ずれを防止できるという特徴がある。
【００６０】
右下取付部２６の下横部材３と接触する下面には右下取付孔１９に嵌め合わされる右下突起３９が下方に突出する筒状に設けられ、右下止螺子４４が右下取付孔１９と右下突起３９の内部と挿入されて下横部材３と右縦部材５とを固定することにより、下横部材３と右縦部材５とを固定することにより、下横部材３と右縦部材５との組み立てる位置が確保されるうえ、組み立てられた下横部材３と右縦部材５との位置ずれを防止できるという特徴がある。
【００６１】
尚、外枠１では、左縦部材４又は左縦部材５の一方が金属製であり、この金属製の左縦部材４又は左縦部材５の一方が縦長な主要部としての左主要部２１又は右主要部２２の上部又は下部の一方又は両方には上横部材２又は下横部材３の一方又は両方に取り付けられる取付部としての左上取付部２３又は左下取付部２４又は右上取付部２５又は右下取付部２６が主要部としての左主要部２１又は右主要部２２から中央空間２７の側に直角に折り曲げられた構成であってもよい。左縦部材４又は左縦部材５の一方が金属製でない場合は、その金属製でない左縦部材４又は左縦部材５は金属以外の素材としての木製でも合成樹脂製でもよい。又、上横部材２及び下横部材３は合成樹脂製でもよく、金属以外の素材で構成されていればよい。
【００６２】
上記取付部としての左上取付部２３又は左下取付部２４又は右上取付部２５又は右下取付部２６には、突起としての左上突起３６又は左下突起３７又は右上突起３８又は右下突起３９が設けられ、上横部材２又は下横部材３には凹部としての左上取付孔１６又は左下取付孔１７又は右上取付孔１８又は右下取付孔１９が設けられ、上記突起としての左上突起３６又は左下突起３７又は右上突起３８又は右下突起３９と上記凹部としての左上取付孔１６又は左下取付孔１７又は右上取付孔１８又は右下取付孔１９とが互いに嵌め込まれた構成でもよい。この場合、左上突起３６又は左下突起３７又は右上突起３８又は右下突起３９は内部が肉抜きされた中空な筒状でなく内部が埋まった棒状でもよく、左上取付孔１６又は左下取付孔１７又は右上取付孔１８又は右下取付孔１９は貫通孔でなく行き止まりとなった凹部でもよい。
【００６３】
左縦部材４は、左主前溝部４６と左主中間溝部４７と左主後溝部４８と左上前溝部５０と左上中間溝部５１と左上後溝部５２と左下前溝部５４と左下中間溝部５５と左下後溝部５６との設けられていない金属製の板状からなる造形でもよい。
【００６４】
右縦部材５は、右主前溝部５８と右主中間溝部５９と右主後溝部６０と右上前溝部６２と右上中間溝部６３と右上後溝部６４と右下前溝部６６と右下中間溝部６７と右下後溝部６８との設けられていない金属製の板状からなる造形でもよい。
【符号の説明】
【００６５】
１は外枠、２は上横部材、３は下横部材、４は左縦部材、５は右縦部材、６は上ヒンジ、７は下ヒンジ、８は前面板、９；１０欠番、１１は左上端部、１２は左下端部、１３は右上端部、１４は右下端部、１５は欠番、１６は左上取付孔、１７は左下取付孔、１８は右上取付孔、１９は右下取付孔、２０は欠番、２１は左主要部、２２は右主要部、２３は左上取付部、２４は左下取付部、２５は右上取付部、２６は右下取付部、２７は中央空間、２８乃至３０は欠番、３１は左上折り曲がり部分、３２は左下折り曲がり部分、３３は右上折り曲がり部分、３４は右下折り曲がり部分、３５は欠番、３６は左上突起、３７は左下突起、３８は右上突起、３９は右下突起、４０は欠番、４１は左上止螺子、４２は左下止螺子、４３は右上止螺子、４４は右下止螺子、４５は欠番、４６は左主前溝部、４７は左主中間溝部、４８は左主後溝部、４９は欠番、５０は左上前溝部、５１は左上中間溝部、５２は左上後溝部、５３は欠番、５４は左下前溝部、５５は左下中間溝部、５６は左下後溝部、５７は欠番、５８は右主前溝部、５９は右主中間溝部、６０は右主後溝部、６１は欠番、６２は右上前溝部、６３は左上中間溝部、６４は左上後溝部、６５は欠番、６６は右下前溝部、６７は右下中間溝部、６８は右下後溝部、６９；７０は欠番、７１は取付板、７２はヒンジピン、７３は隔壁、７４は取付孔、７５は突起、７６は除去部、７７乃至７９は収容部、８０は欠番、８１は取付孔、８２は取付板、８３はヒンジピン、８４；８５は取付孔、８６は除去部、８７：８８は止螺子、８９は取付孔、９０は止螺子、９１は誘導部材。
【図１】
0005912030.tif 000002
【図２】
0005912030.tif 000003
【図３】
0005912030.tif 000004
【図４】
0005912030.tif 000005
【図５】
0005912030.tif 000006
【図６】
0005912030.tif 000007
【図７】
0005912030.tif 000008
【図８】
0005912030.tif 000009